(57)【要約】【課題】化石燃料等を使用する内燃機関は、地球環境を汚染するが本発明は、磁石の磁極の反発力とはずみ車の慣性で回転する地球環境に良い回転機関を提供する。【解決手段】はずみ車４の最初の回転は、手動で行いその後シーソー部材１の略中心部を支点としてシーソー部材１の上下往復運動が、クランク機構３によってはずみ車４の回転運動に変換し、はずみ車の中心部に設けたカムとリンク部材の動きによって磁石Ｍ１またはＭ２と磁極が相反する向きに取り付けたシーソー部材１の磁石ｍ１またはｍ２の磁極の反発力でシーソー部材１の上下往復運動を繰り返しはずみ車４も回転を繰り返すようにする。【選択図】図１
2010164011.tif 000002
【特許請求の範囲】
【請求項１】
シーソー構造を構成するシーソー部材の略中心部を支点として、前記シーソー部材の両端側方向の所定の位置を力点とする位置の上に磁石を取り付け、前記シーソー部材の支点と片側の力点の間に位置する作用点としてクランク機構の連接棒を備えた前記シーソー部材の下方向位置に前記連接棒に接続されたクランク機構を施した中心軸にカムを備えたはずみ車を配置し、前記シーソー部材の上方位置に支点を備えたシーソー構造のリンク部材の支点を基準に前記シーソー部材に取り付けた磁石側に所定の角度をなす前記リンク部材の上端側に前記シーソー部材に取り付けた磁石と磁極が相反する向きに磁石を取り付け、前記リンク部材の下端部に前記カムと接する位置にローラーを取り付け、前記リンク部材は、前記はずみ車のクランク機構を備えた反対側にクランク機構側と同様の構成になるカムとリンク部材を備えたことを特徴とする磁力反発式回転機関。
【請求項２】
前記シーソー部材の略中心部を基点として左右略対象にシーソー部材の長さを伸縮自在にすると共に、シーソー部材の両端部におもり９を取り付けシーソー部材の重量バランス調整手段を設けたことを特徴とする請求項１に記載の磁力反発式回転機関。
【請求項３】
前記リンク部材の支点下部におもり１１を取り付けリンク部材の重量バランス調整手段を設けたことを特徴とする請求項１に記載の磁力反発式回転機関。
【請求項４】
前記はずみ車の中心軸に設けたカム取り付け盤の外周に複数の調整用穴を設け、カムの回転角に対する位置調整手段を設けたことを特徴とする請求項１に記載の磁力反発式回転機関。
【発明の詳細な説明】
【技術分野】
【０００１】
本発明は、発電機の動力や多くの機械の動力源として利用できる回転機関に関するものである。
【背景技術】
【０００２】
従来の回転機関は、化石燃料を使用した内燃機関や風力を利用した風力発電用の回転機関又は、水力を利用した水力発電用の回転機関などがある。
【０００３】
化石燃料を使用する内燃機関は、ＣＯ２の排出により地球環境を汚染することが問題になっている。
【０００４】
クリーンエネルギーと言われている風力や水力を利用した回転機関は風量や水量が一定ではなく一定の回転が得られない欠点があった。
【先行技術文献】
【非特許文献】
【０００５】
堀野正俊著  「機械力学入門（第２版）」理工学社発行  ２００５年５月２５日  Ｐ２２
【０００６】
三浦宏文著  「グローバル機械工学シリーズ１  機械力学  機構・運動・力学」株式会社朝倉書店発行  ２００４年９月１０日  Ｐ１１，Ｐ４８，Ｐ５７，Ｐ６４
【発明の概要】
【発明が解決しようとする課題】
【０００７】
従来の回転機関は、燃料を燃焼させて発生するエネルギーを回転力に変換する内燃機関や風力や水力のエネルギーを回転力に変換する発電装置で用いる回転機関であるが、前記の内燃機関は、化石燃料を消費し地球温暖化にも影響し、風力や水力を動力とした回転機関は、一定のエネルギーを得られないことや設備コストが高価であることを課題とする。
【課題を解決するための手段】
【０００８】
本発明は、シーソー構造を構成するシーソー部材の略中心部を支点としたシーソー部材の両端側方向の所定の位置を力点とする位置の上に磁石を取り付け、シーソー部材の支点と片側の力点の間に作用点としてクランク機構の連接棒を備えた装置の下方向位置に前記連接棒によって接続されたクランク機構を備えたはずみ車の中心軸にカムを備えたはずみ車の装置を配置し、シーソー部材の上方位置に支点を備えたシーソー構造のリンク部材の支点を基準にシーソー部材に取り付けた磁石側に所定の角度をなすリンク部材の上端側にシーソー部材に取り付けた磁石と磁極が相反する向きに取り付けられた磁石を取り付け、リンク部材の下端部にローラーを取り付けそのローラーは、はずみ車が回転することによりカムと接する位置にあるときシーソー部材の上死点側の磁石と反発することにより、はずみ車が回転するクランク機構を備えた磁力反発式回転機関に係わるものである。
【０００９】
本発明においては、シーソー部材の中心部を基点として左右略対象にシーソー部材の長さを伸縮自在にすると共に、シーソー部材の両端部におもりを取り付けシーソー部材の重量バランス調整手段を設けたことを特徴とする。
【００１０】
リンク部材の支点下部におもりを取り付けリンク部材の重量バランス調整手段を設けたことを特徴とする。
【００１１】
はずみ車の中心軸に設けたカム取り付け盤の外周に複数の調整用穴を設け、カムの回転角に対する位置調整手段を設けたことを特徴とする。
【００１２】
シーソー部材の略中心部を基点として左右略対象にシーソー部材に取り付けた磁石は１対に限られるものではなく２対以上取り付けることができる。
【００１３】
リンク部材の上端側に取り付けた磁石は１対に限られるものではなく２対以上取り付けることができる。
【００１４】
本発明のシーソー部材とリンク部材とクランク機構の構成は、１連に限られるものではなく２連以上の構成にすることができる。
また、同様にはずみ車の構成は、１連に限られるものではなく２連以上の構成にすることができる。
【００１５】
本発明の装置は、重力に対して垂直に設置することに限られるものではなく水平に設置することができる。
【発明の効果】
【００１６】
本発明は、化石燃料を使用しないために地球環境を汚染しないという利点がある。
【００１７】
また本発明は、風力や水力を動力とした回転機関よりも一定の回転が得られるという利点がある。
【図面の簡単な説明】
【００１８】
【図１】図１は本発明の正面図である。
【図２】図２は本発明の側面図である。
【図３】図３は本発明のカム部分図（５ａ側）である。
【図４】図４は本発明のカム部分図（５ｂ側）である。
【図５】図５は本発明のカム図である。
【図６】図６は本発明のカム部分の拡大図である。
【図７】図７は本発明のリンク部材とクランク機構の２連構成例の側面図である。
【発明を実施するための形態】
【００１９】
本発明の実施の形態を図１，図２，図６，図７に基づいて説明する。
【００２０】
シーソー部材１の略中心部を支点Aとした所定の位置に力点Bとした一対の磁石ｍ1，ｍ２を取り付け、支点Aと力点Bの間に作用点Cとしてクランク機構３の連接棒２を取り付けシーソー部材１の下部に設けたはずみ車４の中心軸に設けたカム５ａ，５ｂとリンク部材８ａ，８ｂの上端部に磁石M１，M２を磁石ｍ１，ｍ２と磁極が相反する向きに取り付けた機関で構成される。
【００２１】
シーソー部材１の一方（磁石ｍ１側）が上死点にある時カム５ａによりリンク部材８ａが動作しリンク部材８ａの先端に取り付けた磁石Ｍ１が磁極の反発力で磁石ｍ１を押し下げ作用点としての連接棒２が押し下げられクランク機構３によりはずみ車４が回転する。
【００２２】
次に前記と同様にシーソー部材１の一方（磁石ｍ２側）が上死点になりカム５ｂによりリンク部材８ｂが動作しリンク部材８ｂの上端部に取り付けた磁石Ｍ２が磁極の反発力で磁石ｍ２を押し下げ作用点としての連接棒２が押し上げられクランク機構３によりはずみ車４が回転する。
【００２３】
上記のようにはずみ車４の慣性力と磁石の磁極の反発力ではずみ車４が回転する。
【００２４】
シーソー部材１の重量バランスは、はずみ車４の質量に応じシーソー部材１の両端に取り付けたおもり９とシーソー部材１に施した長さ調整用のネジ１０をゆるめシーソー部材１の長さを伸縮する。
【００２５】
リンク部材８ａ，８ｂの重量バランスは、リンク部材８ａ，８ｂに取り付けたおもり１１の位置を調整する。
【００２６】
シーソー部材１が上死点にあるときのリンク部材に取り付けた一方の磁石の磁極の反発するタイミングは、図６のカム５ａ，５ｂをカム取り付け盤６ａ，６ｂに施した調整用穴７の最適な位置に取り付けることで調整する。
【００２７】
シーソー部材１に取り付けた磁石ｍ１，ｍ２とリンク部材８ａ，８ｂに取り付けた磁石Ｍ１，Ｍ２は、電磁石とすることができる。
【００２８】
はずみ車４の回転トルクを増大するには、図７のようにシーソー部材とリンク部材の構成を複数連にすることでできる。
【産業上の利用可能性】
【００２９】
本発明は、燃焼を伴わない回転機関であるためにＣＯ２の排出がない地球環境に良い回転機関である。
【符号の説明】
【００３０】
１  シーソー部材
２  連接棒
３  クランク機構
４  はずみ車
５ａ，５ｂ  カム
６ａ，６ｂ  カム取り付け盤
７  調整用穴
８ａ，８ｂ  リンク部材
９  おもり
１０  調整ネジ
１１  おもり
１２  調整ネジ
１３  ローラー
Ａ  支点
Ｂ  力点
Ｃ  作用点
ｍ１，ｍ２  磁石
Ｍ１，Ｍ２  磁石
【図１】
2010164011.tif 000003
【図２】
2010164011.tif 000004
【図３】
2010164011.tif 000005
【図４】
2010164011.tif 000006
【図５】
2010164011.tif 000007
【図６】
2010164011.tif 000008
【図７】
2010164011.tif 000009